(57)【要約】【課題】  ナイフバーとナイフクリップとを用いた摺動案内部の構造を改良して、良好な切断性能を長期間にわたって発揮させられるようにしたバリカン型刈取装置を提供する。【解決手段】    ナイフバー２０の前後に設けられた摺接面２１ａと、その摺接面２１ａに対向してナイフクリップ３０の前後に設けられた摺接面３１ａ，３２ａとの夫々で構成される摺動案内部に、ナイフバー２０の前方への動きに伴ってナイフバー２０に下向き分力を生じさせるように作用する前ガイド部３３と、ナイフバー２０の後方への動きに伴ってナイフバー２０に下向き分力を生じさせるように作用する後ガイド部３４とを形成してある。【選択図】        図２
2008125398.tif 000002
【特許請求の範囲】
【請求項１】
位置固定された固定刃と、固定刃の上側で固定刃の延設方向に沿って配設された可動刃と、前記可動刃を前記固定刃に対して往復駆動する刈り刃駆動機構とで構成されたバリカン型刈取装置であって、
長手方向を可動刃に沿わせて左右方向に配設したナイフバーと、そのナイフバーを摺動自在に案内するナイフクリップとを備え、
前記ナイフバーの前後に設けられた摺接面と、その摺接面に対向してナイフクリップの前後に設けられた摺接面との夫々で構成される摺動案内部に、ナイフバーの前方への動きに伴ってナイフバーに下向き分力を生じさせるように作用する前ガイド部と、ナイフバーの後方への動きに伴ってナイフバーに下向き分力を生じさせるように作用する後ガイド部とを形成してあるバリカン型刈取装置。
【請求項２】
位置固定された固定刃と、固定刃の上側で固定刃の延設方向に沿って配設された可動刃と、前記可動刃を前記固定刃に対して往復駆動する刈り刃駆動機構とで構成されたバリカン型刈取装置であって、
長手方向を可動刃に沿わせて左右方向に配設したナイフバーと、そのナイフバーを摺動自在に案内するナイフクリップとを備え、
前記ナイフバーの前縁に設けられた摺接面と、その摺接面に対向する位置に設けられたナイフクリップの摺接面との夫々で構成される摺動案内部に、ナイフバーの前方への動きに伴ってナイフバーに対する上向き分力と下向き分力とが共に生じるように作用する前ガイド部を形成してあるバリカン型刈取装置。
【請求項３】
ナイフバーとナイフクリップとの摺接面を、可動刃の摺動方向に直交する断面視で、ナイフバーとナイフクリップとの相対向する摺接面のうちの一方が凸曲面で他方が凹曲面となるように湾曲した摺接面に形成してある請求項１または２記載のバリカン型刈取装置。
【請求項４】
ナイフバーとナイフクリップとの摺接面のうち、一方に形成された凸曲面と他方に形成された凹曲面との間に曲率の相違する面部分を形成して、上下方向でのナイフバーの多少の動きを許す間隙を形成してある請求項３記載のバリカン型刈取り装置。
【発明の詳細な説明】
【技術分野】
【０００１】
本発明は、コンバインやバインダー、あるいは草刈り機などで用いられているように、受け刃台に固定された固定刃に対して可動刃を刈り刃駆動機構で左右往復駆動するように構成されたバリカン型刈取装置に関する。
【背景技術】
【０００２】
この種のバリカン型刈取り装置としては、従来より、下記［１］及び［２］に記載の構造のものが知られている。
［１］  可動刃と一体に、可動刃の延設方向に沿って左右方向に移動するように長尺板状に形成されたナイフバーを備え、このナイフバー及び可動刃を、固定の受け刃との間に挟んで上側から押え込む状態に支持する板材からなるナイフクリップを備えた構造のもの（例えば特許文献１参照）。
［２］  可動刃の延設方向に沿って可動刃と一体に左右方向に移動するように長尺板状に形成されたナイフバーと、そのナイフバーの前後両側に対向してナイフバーを摺動自在に案内する摺接板を設けたナイフクリップとを備えた構造のもの（例えば特許文献２参照）。
【０００３】
【特許文献１】特開平６−４６６３１号公報（段落〔０００７〕、図１，５）
【特許文献２】特開平９−３２２６２６号公報（段落〔００１８〕、図４，６，７，８，９）
【発明の開示】
【発明が解決しようとする課題】
【０００４】
前記特許文献１に示される構造のものでは、ナイフバー及び可動刃を、固定の受け刃との間に挟んで上側からナイフクリッで弾性的に押え込む状態に支持することができる。つまり、可動刃を受け刃側へ押圧付勢して、受け刃に対する可動刃の浮き上がりを回避することにより良好な切断状態を維持することは可能である。
しかしながら、可動刃の浮き上がり防止を確実にするために可動刃を受け刃側へ強く押し付けると、受け刃と可動刃との間、及び可動刃またはナイフバーとナイフクリップとの間における摺接摩擦力が大きくなって、摩擦箇所における損耗が激しくなるという不具合がある。逆に押し付け力を弱くすると、可動刃の浮き上がり防止効果が薄れることになる。
【０００５】
特許文献２に示される構造のものでは、ナイフバーの前後にナイフクリップの摺接ガイド体を位置させ、かつ前側のガイド体で可動刃の上方側への浮き上がりを抑制するように、前側のガイド体を受け刃台に固定している。この構造では、可動刃の浮き上がりを位置固定状態のガイド体で抑止するように構成されているので、摺接ガイド体は可動刃に対して押圧付勢されたものではない。したがって、可動刃の浮き上がり作用が生じている状態でない限り、ガイド体と可動刃とは強く圧接するものではなく、圧接によるガイド体やナイフバーの損耗を極力回避しながら摺動案内できる点で有利である。
しかしながら、ガイド体とナイフバーとは、直接の押圧付勢作用が生じていなくとも、常に摺接するものであるから、長期の使用のうちにはナイフバーの前縁に形成された摺接面と、これに対向してガイド体に形成された摺接面との間に損耗が生じることを避け得ず、摩耗度合いが大きくなるとガタツキ発生の要因となる。
【０００６】
本発明の目的は、ナイフバーとナイフクリップとを用いた摺動案内部の構造を改良して、良好な切断性能を長期間にわたって発揮させられるようにしたバリカン型刈取装置を提供することにある。
【課題を解決するための手段】
【０００７】
上記目的を達成するために講じた本発明の技術手段は、次の点に構成上の特徴、及び作用効果がある。
〔解決手段１〕
請求項１にかかる発明では、位置固定された固定刃と、固定刃の上側で固定刃の延設方向に沿って配設された可動刃と、前記可動刃を前記固定刃に対して往復駆動する刈り刃駆動機構とで構成されたバリカン型刈取装置において、
長手方向を可動刃に沿わせて左右方向に配設したナイフバーと、そのナイフバーを摺動自在に案内するナイフクリップとを備え、
前記ナイフバーの前後に設けられた摺接面と、その摺接面に対向してナイフクリップの前後に設けられた摺接面との夫々で構成される摺動案内部に、ナイフバーの前方への動きに伴ってナイフバーに下向き分力を生じさせるように作用する前ガイド部と、ナイフバーの後方への動きに伴ってナイフバーに下向き分力を生じさせるように作用する後ガイド部とを形成してある。
【０００８】
〔解決手段１にかかる発明の作用及び効果〕
上記のように、ナイフバーとナイフクリップとの摺動案内部に、ナイフバーの前後方向（ナイフバーの長手方向と直交する横向きの方向）の動きに伴ってナイフバーに下向き分力を生じさせるように作用する、前ガイド部と後ガイド部とを形成してあるので、刈刃が所期の切断性能を有した状態で使用可能な期間を長期にわたって維持し得る利点がある。
すなわち、ナイフバーとナイフクリップとの摺接面が、ナイフバーの前後方向への動きに伴って下向き分力を生じさせるように形成されていることで、摺接面同士が多少摩耗しても、ナイフバーの前後方向の移動範囲が多少拡がるだけで、やはり下向き分力を有した状態での摺動案内は可能である。したがって、可動刃の浮き上がりが長期間にわたって防止され、刈刃の切断性能を長期にわたって維持することが可能となる。
【０００９】
〔解決手段２〕
請求項２にかかる発明では、位置固定された固定刃と、固定刃の上側で固定刃の延設方向に沿って配設された可動刃と、前記可動刃を前記固定刃に対して往復駆動する刈り刃駆動機構とで構成されたバリカン型刈取装置において、
長手方向を可動刃に沿わせて左右方向に配設したナイフバーと、そのナイフバーを摺動自在に案内するナイフクリップとを備え、
前記ナイフバーの前縁に設けられた摺接面と、その摺接面に対向する位置に設けられたナイフクリップの摺接面との夫々で構成される摺動案内部に、ナイフバーの前方への動きに伴ってナイフバーに対する上向き分力と下向き分力とが共に生じるように作用する前ガイド部を形成してある。
【００１０】
〔解決手段２にかかる発明の作用及び効果〕
解決手段２にかかる発明では、ナイフバーとナイフクリップとの摺動案内部に、ナイフバーの前方への動きに伴ってナイフバーに対する上向き分力と下向き分力とが共に生じるように作用する前ガイド部を形成してあるので、刈刃が所期の切断性能を有した状態で使用可能な期間を長期にわたって維持し得る利点がある。
すなわち、ナイフバーとナイフクリップとの摺接面が、ナイフバーの前後方向（ナイフバーの長手方向と直交する横向きの方向）への動きに伴って上向き分力と下向き分力とを共に生じさせるように形成されていることで、摺接面同士が多少摩耗しても、ナイフバーの前後方向の移動範囲が多少拡がるだけで、やはり上向き分力と下向き分力とを有した状態での摺動案内は可能である。
そして、可動刃に下方からの突き上げ作用などによる浮き上がり傾向が生じると、ナイフバーとナイフクリップとの摺接面での上向き分力が減少し、下向き分力が増大して、可動刃の浮き上がり現象に対する抗力を増すことになる。したがって、可動刃の浮き上がりが長期間にわたって防止され、刈刃の切断性能を長期にわたって維持することが可能となる。
【００１１】
〔解決手段３〕
請求項３にかかる発明では、上記解決手段１または２に記載のバリカン型刈取装置において、
ナイフバーとナイフクリップとの摺接面を、可動刃の摺動方向に直交する断面視で、ナイフバーとナイフクリップとの相対向する摺接面のうちの一方が凸曲面で他方が凹曲面となるように湾曲した摺接面に形成してあることを特徴とする。
【００１２】
〔解決手段３にかかる発明の作用及び効果〕
解決手段３にかかる発明では、ナイフバーとナイフクリップとの摺接面を、可動刃の左右移動方向（ナイフバーの長手方向）に直交する断面視で、一方が凸曲面で他方が凹曲面となるように湾曲した摺接面に形成することにより、その摺接面自体の接触面積を拡大している。
しかも、凸曲面と凹曲面とが摺接した状態では、ナイフバーの上下方向（ナイフバーの長手方向と直交する縦向きの方向）の動きも規制された状態となるので、可動刃の浮き上がり現象を抑止する上で有用である。
したがって、摺接面積の増加による耐摩耗性の向上と、可動刃の浮き上がり規制を行いやすく、より一層切断性能の低下を抑制することができる効果がある。
【００１３】
〔解決手段４〕
請求項４にかかる発明では、上記解決手段３に記載のバリカン型刈取装置において、ナイフバーとナイフクリップとの摺接面のうち、一方に形成された凸曲面と他方に形成された凹曲面との間に曲率の相違する面部分を形成して、上下方向でのナイフバーの多少の動きを許す間隙を形成してあることを特徴とする。
【００１４】
〔解決手段４にかかる発明の作用及び効果〕
解決手段４にかかる発明では、解決手段３と同様な作用及び効果を奏するとともに、曲率の相違による間隙を形成しているので、摺接面を極力広く確保しながら、下向き分力の発生する構造を構成することができる。
そして、ナイフバーとナイフクリップとの摺接面で摩耗が進行しても、摩耗は曲率の相違を無くす方向に進行する傾向があるので、摩耗の進行に伴って前記間隙が減少または消滅し、さらに摩耗が進行するに伴って新たな間隙が生じることになる。
つまり、もともとあった間隙がまず減少し、その後の摩耗の進行によって新たな間隙が増大する、という変化を辿るものであるから、摩耗の進行に伴って摺接面の間隙が単純に増大する場合に比べて、摺接面の間隙が許容範囲である期間を極力長く維持して、耐久性の向上を図り得る利点がある。
【発明を実施するための最良の形態】
【００１５】
以下、本発明の実施形態の一例を図面に基づいて説明する。
〔全体構成〕
本発明のバリカン型刈取装置Ｃは、クローラ式走行装置に搭載設置された機体フレーム上に、エンジン、操縦部、脱穀装置、およびグレンタンクや排ワラ処理装置などを搭載し、前記機体フレームの前部側に配置される刈取装置や引起こし装置で構成された前処理装置を備えるコンバインに適用されたものであり、前記前処理装置用の刈取装置として採用されている。
【００１６】
図１乃至図３に示すように、この刈取り装置Ｃは、固定刃１と、この固定刃１の上に設けた可動刃２と、各可動刃２を駆動する刈刃駆動機構４とによって構成され、前記固定刃１が機体横方向に所定間隔を隔てて並ぶ複数本の分草フレーム６の基部に支持されている。
分草フレーム６の先端部には夫々分草具６ａが装着され、各分草フレーム６の間に形成される茎稈導入路には茎稈引き起こし装置７が配備されている。
【００１７】
固定刃１は、各分草フレーム６の基部に支持させた一つの受け刃台１０、及び、この受け刃台１０の前縁部の上面側に機体横方向に並べてリベット１２によって止着された複数個の固定刃ピース１１を備えて構成してある。
前記各可動刃２は、機体横方向に並ぶ複数個の可動刃ピース２２、及び、前記各可動刃ピース２１の上面側にリベット２３によって止着されて複数個の可動刃ピース２２を連結している一つのナイフバー２０を備えて構成してある。
【００１８】
図１，２に示すように、可動刃２の両端部近く位置には、可動刃２と一体に連結されたナイフバー２０に作用するナイフクリップ３０を備える支持手段３を設けてあり、左右の可動刃２は、前記各支持手段３を介して固定刃１に機体横方向に摺動自在に支持されている。
【００１９】
左側の可動刃２は、この可動刃２の前記複数の支持手段３のうちの最も機体横外側に位置する前記支持手段３が作用する部位の近くに可動刃操作体２４を備え、この可動刃操作体２４に連結される前記刈刃駆動機構４によって、固定刃１の左側部分に対して機体横幅方向で左右往復駆動するように構成してある。
右側の可動刃２は、この可動刃２の前記複数の支持手段３のうちの最も機体横外側に位置する前記支持手段３が作用する部位の近くに可動刃操作体２４を備え、この可動刃操作体２４に連結される前記刈刃駆動機構４によって、固定刃１の右側部分に対して機体横幅方向で左右往復駆動するように構成してある。
【００２０】
図１に示すように、前記各刈刃駆動機構４は、駆動すべき可動刃２の前記可動刃操作体２４の左右一対の操作板２５を備えた係入溝に係入したベアリングで成る操作ローラ４１を一端部に備えた揺動リンク４２、この揺動リンク４２の他端側の端部に一端側が相対回動自在に連結された連動ロッド４３、この連動ロッド４３の他端側が周縁部に相対回動自在に連結された駆動回転体４４を備えて構成してある。
前記揺動リンク４２の中間部は、穀稈搬送装置（図示せず）が備える支軸４５に回動自在に連結されており、揺動リンク４２は、前記支軸４５の軸芯まわりで往復揺動するようになっている。前記駆動回転体４４は、刈取り前処理部のフレームを構成する伝動ケース４６の端部に回転支軸４７を介して駆動回動自在に支持されている。
【００２１】
これにより、各刈刃駆動機構４は、回転支軸４７の機体上下向き軸芯まわりで駆動される駆動回転体４４の回転駆動力を連動ロッド４３によって直線の往復動力に変換して揺動リンク４２の端部に伝達してこの揺動リンク４２を支軸４５の機体上下向き軸芯まわりで、一定の揺動角度で往復揺動するように駆動し、この揺動リンク４２の往復動力を操作ローラ４１によって可動刃操作体２４に伝達することにより、可動刃２を往復駆動する。
【００２２】
〔摺動案内部〕
上記のように構成されている刈取装置Ｃにおいて、本発明のものでは、特に前記ナイフバー２０とナイフクリップ３０とによる摺動案内部を次のように構成している。
【００２３】
図２に示すように、ナイフクリップ３０の前後のガイド体３１，３２に形成されるガイド用の内向き摺接面３１ａ，３２ａを、単なる平坦面ではなく、ナイフバー２０の移動方向が直線で、それに交差する方向の断面が曲線である単曲面によって形成された凹曲面で構成してある。
そしてナイフバー２０には、前記凹曲面からなる内向き摺接面３１ａ，３２ａに嵌入して案内される凸曲面で形成された外向き摺接面２１ａを、前後両端側に備える被せ部材２１をビス止めして一体化してある。
つまり、この構造では、前記被せ部材２１もナイフバー２０の一部となり、前記ガイド体３１，３２を上板３３で接続して構成されるナイフクリップ３０により、摺動案内されるように構成されている。
【００２４】
図２に示すように、前後のガイド体３１，３２に形成される内向き摺接面３１ａ，３２ａは、中心点Ｏ２周りでの大きい半径Ｒ２の円弧で形成された凹曲面であるのに対して、前記ナイフバー２０の外向き摺接面２１ａは、その上半側では前記中心点Ｏ２を中心とした大きい半径Ｒ２周りの円弧であり、下半側では図２に示す中心点Ｏ１を中心とする小さい半径Ｒ１周りの円弧で形成された凸曲面である。
したがって、前記ナイフバー２０の外向き摺接面２１ａの上半側と、ガイド体３１，３２に形成される内向き摺接面３１ａ，３２ａの上半側とは、ほぼ同一の円弧面で密に摺接した状態となるが、前記ナイフバー２０の外向き摺接面２１ａの下半側と、ガイド体３１，３２に形成される内向き摺接面３１ａ，３２ａの下半側との間では、互いに大きさの異なる半径の円弧であることにより、図中の間隙Ｓが形成されることになる。
【００２５】
このように構成された摺動案内部では、前記ナイフバー２０の外向き摺接面２１ａの上半側と、ガイド体３１，３２に形成される内向き摺接面３１ａ，３２ａの上半側との摺接箇所において、ナイフバー２０の前後方向の中心に近い側が高くて遠い側が低くなる、ほぼ下向きの傾斜面が形成されている。
したがって、前記ナイフバー２０の前端側における外向き摺接面２１ａの上半側と、前側のガイド体３１に形成される内向き摺接面３１ａの上半側との摺接箇所が、ナイフバー２０の前方への動きに伴ってナイフバー２０に下向き分力を生じさせるように作用する前ガイド部３３を構成し、前記ナイフバー２０の後端側における外向き摺接面２１ａの上半側と、後側のガイド体３２に形成される内向き摺接面３２ａの上半側との摺接箇所が、ナイフバー２０の後方への動きに伴ってナイフバー２０に下向き分力を生じさせるように作用する後ガイド部３４を構成している。
【００２６】
上記のように、ナイフバー２０側の外向き摺接面２１ａの下半側と、ナイフクリップ３０側の内向き摺接面３１ａ，３２ａとの間に間隙Ｓが形成されることにより、ナイフバー２０が左右往復摺動されて互いの摺接面２１ａ，３１ａ，３２ａが損耗するにしたがって、前記間隙Ｓが減少もしくは消滅する傾向がでる。
そして、さらに損耗が進めば、前記摺接面２１ａ，３１ａ，３２ａ同士の摺接によってほぼ同様な形状のままで摩耗し、前後の摺接面２１ａ，３１ａ，３２ａの間に新たな間隙が生じる状態となる。
【００２７】
この構造では、短い半径Ｒ１の中心点Ｏ１と、長い半径Ｒ２の中心点Ｏ２とを、同一の直線ｘ上に位置する状態で摺接面２１ａ，３１ａ，３２ａを形成して、摺接面２１ａ，３１ａ，３２ａの上半側と下半側とにおける曲率の変化が緩やかであるように構成しているが、前記中心点Ｏ１，Ｏ２の位置や各半径Ｒ１，Ｒ２の長さは、適宜に設定可能である。
【００２８】
〔別実施形態の１〕
前記ガイド体３１，３２に形成される内向き摺接面３１ａ，３２ａと、前記ナイフバー２０の外向き摺接面２１ａとは、上述の実施の形態のように構成されたものに限らず、次のように構成してもよい。
すなわち、図３に示すように、前記ナイフバー２０の外向き摺接面２１ａは、中心点Ｏ１周りでの半径Ｒ１の円弧で形成された凸曲面であるのに対して、前後のガイド体３１，３２に形成される内向き摺接面３１ａ，３２ａは、その上半側では前記中心点Ｏ１を中心とした半径Ｒ１周りの円弧であるのに対して、下半側では図３に示す中心点Ｏ２を中心とする半径Ｒ２周りの円弧で形成された凹曲面である。
したがって、前記ナイフバー２０の外向き摺接面２１ａの上半側と、ガイド体３１，３２に形成される内向き摺接面３１ａ，３２ａとは、ほぼ同一の円弧面で密に摺接した状態となるが、前記ナイフバー２０の外向き摺接面２１ａの下半側と、ガイド体３１，３２に形成される内向き摺接面３１ａ，３２ａとの間では、互いに異なる半径の円弧であることにより、図中の間隙Ｓが形成されることになる。
【００２９】
〔別実施形態の２〕
図４及び図５に示す構造ものでは、前記内向き摺接面３１ａ，３２ａと外向き摺接面２１ａとを次のように構成している。
すなわち、内向き摺接面３１ａ，３２ａと外向き摺接面２１ａとのうち、刈刃が突出する前方側におけるガイド体３１の内向き摺接面３１ａと、これに対向する被せ部材２１の外向き摺接面２１ａとの間では、互いに同一中心点Ｏ１を中心とした同一半径Ｒ１の円弧に沿う摺接面２１ａ，３１ａ，３２ａとして、間隙Ｓのない摺接状態としている。
そして、刈刃が突出する前方側とは反対の後方側のガイド体３２に形成される内向き摺接面３２ａは、その上半側では前記中心点Ｏ２を中心とした半径Ｒ２周りの円弧であるのに対して、下半側では図４に示す中心点Ｏ１を中心とする半径Ｒ１周りの円弧で形成された凹曲面であり、これに対向する前記ナイフバー２０の外向き摺接面２１ａは、図４に示す中心点Ｏ１を中心とする半径Ｒ１周りの円弧で形成された凸曲面である。
したがって、前記内向き摺接面３１ａ，３２ａと外向き摺接面２１ａとのうち、刈刃が突出する前方側とは反対の後方側の内向き摺接面３２ａとこれに対向する外向き摺接面２１ａとの間では、その上半側に間隙Ｓが形成された状態となる。
このように後方側で上半側に形成された間隙Ｓを設けておくことにより、前側の内向き摺接面３１ａとこれに対向する外向き摺接面２１ａとの間での摩耗が進行した場合に、図５に示すように、前側に位置する可動刃２が多少前下がりになることを許して、可動刃と固定刃１との摺接状態を確保し易く構成してある。
【００３０】
〔別実施形態の３〕
図６に示すように、前記ガイド体３１，３２に形成される内向き摺接面３１ａ，３２ａと、前記ナイフバー２０の外向き摺接面２１ａとは、上述の実施の形態のように構成されたものに限らず、次のように構成してもよい。
すなわち、図６に示すように、前記ナイフバー２０の外向き摺接面２１ａは、扁平な傾斜面で構成されるテーパー状に形成し、これに対向する前後のガイド体３１，３２に形成される内向き摺接面３１ａ，３２ａも扁平な傾斜面でテーパー状に形成されている。
【００３１】
〔別実施形態の４〕
図７に示すように、前記ガイド体３１，３２に形成される内向き摺接面３１ａ，３２ａと、前記ナイフバー２０の外向き摺接面２１ａとは、上述の実施の形態のように構成されたものに限らず、次のように構成してもよい。
すなわち、図７に示すように、前記ナイフバー２０の上半側における外向き摺接面２１ａと、これに対向する前後のガイド体３１，３２に形成される上半側の内向き摺接面３１ａ，３２ａを、傾斜面でテーパー状に形成している。
【００３２】
〔別実施形態の５〕
図８に示すように、前記ガイド体３１，３２に形成される内向き摺接面３１ａ，３２ａと、前記ナイフバー２０の外向き摺接面２１ａとは、上述の実施の形態のように構成されたものに限らず、次のように構成してもよい。
すなわち、図８に示すように、前記ナイフバー２０の上半側における外向き摺接面２１ａと、これに対向する前後のガイド体３１，３２に形成される上半側の内向き摺接面３１ａ，３２ａを、湾曲面で形成している。
【００３３】
〔別実施形態の６〕
図９に示すように、ガイド体３１，３２に形成される内向き摺接面３１ａ，３２ａと、ナイフバー２０の外向き摺接面２１ａとは、上述の実施の形態のように構成されたものに限らず、次のように構成してもよい。
すなわち、図９に示すように、前記ナイフバー２０の外向き摺接面２１ａと、これに対向する前後のガイド体３１，３２に形成される内向き摺接面３１ａ，３２ａを、その上方から下方にわたる一連の傾斜面で形成している。
【００３４】
〔別実施形態の７〕
前記ガイド体３１，３２に形成される内向き摺接面３１ａ，３２ａと、前記ナイフバー２０の外向き摺接面２１ａとは、上述の実施の形態のように構成されたものに限らず、次のように構成してもよい。
すなわち、図１０に示すように、前後のガイド体３１，３２に形成される内向き摺接面３１ａ，３２ａは、中心点Ｏ１周りでの半径Ｒ１の円弧で形成された凸曲面であるのに対して、前記ナイフバー２０の外向き摺接面２１ａは、その上半側では前記中心点Ｏ２を中心とした半径Ｒ２周りの円弧であり、下半側では図１０に示す中心点Ｏ１を中心とする半径Ｒ１周りの円弧で形成された凹曲面である。
したがって、前記ナイフバー２０の外向き摺接面２１ａの下半側と、ガイド体３１，３２に形成される内向き摺接面３１ａ，３２ａとは、ほぼ同一の円弧面で密に摺接した状態となるが、前記ナイフバー２０の外向き摺接面２１ａの上半側と、ガイド体３１，３２に形成される内向き摺接面３１ａ，３２ａとの間では、互いに異なる半径の円弧であることにより、図中の間隙Ｓが形成されることになる。
この構造では、前記ナイフバー２０の外向き摺接面２１ａの下半側と、ガイド体３１，３２に形成される内向き摺接面３１ａ，３２ａの下半側との間で下方への押さえ分力が発生することになる。
【００３５】
〔別実施形態の８〕
前記ナイフバー２０と被せ部材２１とは一体に鍛造または鋳造、或いは焼結によって構成されるものであってもよい。また、被せ部材２１が存在する範囲は、ナイフバー２０の全長である必要はなく、ナイフクリップ３０によって案内される往復作動領域に相当する範囲であればよい。
【００３６】
〔別実施形態の９〕
本発明は、左右一対の可動刃２が相反する方向に往復駆動されるように装備された刈取り装置の他、一つの可動刃が往復駆動されるように装備された刈取り装置にも適用できる。
また、本発明によるバリカン型刈取装置は、コンバインの他、バインダーやい草収穫機、あるいは草刈り機など、刈取対象物が種々異なる農作業機にも適用できる。
【図面の簡単な説明】
【００３７】
【図１】コンバインの前処理部の平面図
【図２】刈取装置の上下方向断面図
【図３】別実施形態における刈取装置の上下方向断面図
【図４】別実施形態における刈取装置の上下方向断面図
【図５】別実施形態における刈取装置の上下方向断面図
【図６】別実施形態における刈取装置の上下方向断面図
【図７】別実施形態における刈取装置の上下方向断面図
【図８】別実施形態における刈取装置の上下方向断面図
【図９】別実施形態における刈取装置の上下方向断面図
【図１０】別実施形態における刈取装置の上下方向断面図
【符号の説明】
【００３８】
１                      固定刃
２                      可動刃
３                      支持手段
４                      刈刃駆動機構
２０                    ナイフバー
２１                    被せ部材
２１ａ，３１ａ，３２ａ  摺接面
３０                    ナイフクリップ
３１，３２              ガイド体
３３                    前ガイド部
３４                    後ガイド部
【図１】
2008125398.tif 000003
【図２】
2008125398.tif 000004
【図３】
2008125398.tif 000005
【図４】
2008125398.tif 000006
【図５】
2008125398.tif 000007
【図６】
2008125398.tif 000008
【図７】
2008125398.tif 000009
【図８】
2008125398.tif 000010
【図９】
2008125398.tif 000011
【図１０】
2008125398.tif 000012